(57)【特許請求の範囲】
【請求項１】
端子（１）が取付けられた端子板（２）の底部には開口部（２ｂ）が形成され、かつこの開口部（２ｂ）と連通する凹部（２ｃ）が内部に形成され、この端子板（２）を、取付板（３）の端子板取付部（３ｂ）に前記開口部（２ｂ）および凹部（２ｃ）を介し上方から挿通して取付け、端子板取付部（３ｂ）に打抜き形成され弾性を有する舌片状の係合部（３ｃ）を前記端子板（２）に形成された係合用窓（２ａ）の下縁（２ａ′）に係合させ取付けることを特徴としたリアクター。
【発明の詳細な説明】
【０００１】
【発明の属する技術分野】
この発明は、民生用の電子機器の高調波対策に用いられるリアクターに関する。
【０００２】
【従来の技術】
この種のリアクターは、コイルボビンにコイルを巻回し、かつコイルボビンにコアを組込むとともに、コイルの引出線を端子板に接続するなどして構成されている。
【０００３】
この場合、端子板は紙製のものが用いられ、この端子板はコイルの外表面に取付けられ、コイルの引出線をその端子板の所定の位置まで引き回わして接続している。
【０００４】
【発明が解決しようとする課題】
上記従来のものにおいては、紙製の端子板をコイルの外表面に取付けるようにしており、自動化に難点がある。
【０００５】
この発明は上記のことに鑑み提案されたもので、その目的とするところは、端子板の組込みを自動化に適するようにしたリアクターを提供することにある。
【０００６】
【課題を解決するための手段】
この発明は、端子１が取付けられた端子板２の底部には開口部２ｂが形成され、かつこの開口部２ｂと連通する凹部２ｃが内部に形成され、この端子板２を、取付板３の端子板取付部３ｂに前記開口部２ｂおよび凹部２ｃを介し上方から挿通して取付け、端子板取付部３ｂに打抜き形成され弾性を有する舌片状の係合部３ｃを前記端子板２に形成された係合用窓２ａの下縁２ａ′に係合させ取付けるようにし、上記目的を達成している。
【０００７】
【発明の実施の形態】
図１は本発明の一実施例であって、一対の端子１が取付けられた樹脂製の端子板２を、鉄板の如き金属の板からなり、かつ取付孔３ａを有する取付板３の端子板取付部３ｂに取付ける状態の斜視図、図２はその部分側断面図を示す。
【０００８】
しかして、端子１の上端中央部にはリード線接続部１ａが形成されている。また、上部には側方に張り出した係止部１ｂが形成され、かつその下方の離間した位置には抜け止め部１ｃが形成されている。さらに、端子１の下方には、詳しくは図３に示す引出線を案内して受容する包持部１ｄが形成されている。この包持部１ｄは下方両側部に切込みを入れ、かつ両側部を、図２に示すように、外側に向かってほぼ弧状に折曲することによって形成されている。
【０００９】
また、端子板２は絶縁性の樹脂からなり、全体としてほぼ矩形をなし、かつ端子板２の中央上方には、端子板取付部３ｂに打抜き形成された舌片状の係合部３ｃと係合可能な係合用窓２ａが形成されている。また、端子板２の内部には下方開口部２ｂを介し端子板取付部３ｂを挿通するための凹部２ｃが形成されている。
【００１０】
さらに、端子板２の外表面には端子１を取付けるための一対の取付部２ｄが２対形成されている。この各取付部２ｄは外側に向かって突出した一対の突部からなり、そこの根元部分に端子１を上方から挿通する。端子１の上部には、前述のように、側方に張り出した係止部１ｂがあり、この係止部１ｂが取付部２ｄの上端に当接して位置決めされる。また、端子１の抜け止め部１ｃは、端子挿入時には、長手の端子本体に対しほぼ直交して取付部２ｄの突出方向に折曲され、一対の取付部２ｄ間に挿入し下方位置にでてきたところで、図示のように、横方向に押し広げることにより、端子１が抜け出ないようになっている。
【００１１】
端子１が取付けられた端子板２は、端子板取付部３ｂに取付けられるが、この場合、端子板取付部３ｂ側の舌片状の係合部３ｃはやや外側に折曲され、端子板２の内部に形成された凹部２ｃに端子板取付部３ｂを下方開口部２ｂを介して挿通して取付ける際、係合部３ｃは材質に起因する弾性を有するため、内側に押圧され、先端が係合窓２ａの下縁２ａ′の位置に達すると、押圧状態が解放されるため、外側位置に復帰し、先端が係合窓２ａの下縁２ａ′に係合し、端子板２の抜けを防止することができる。なお、この端子板取付部３ｂには補強用のリブ３ｄか形成されている。
【００１２】
このようにして、別体の端子板２を単に上方から押し下げることによって簡単に端子板取付部３ｂに取付けることができるため、容易に自動化できる。
【００１３】
なお、端子板２の取付に先立って、取付板３の底板上には、図３に示すようにコイル５、けい素鋼板を積層してなるＥＩ型のコア７などからなるリアター本体４が周知の手段により取付・固定される。また、リアター本体４側は端子板２側とは別にマスキングされる。このため、端子１に油膜が付着することはない。
【００１４】
さらに、端子板２を端子板取付部３ｂに取付ける場合、巻始め、巻終わりの各引出線５ａ，５ｂを予め端子１を有する端子板２が取付けられる所定の位置にフォーミングしておき、端子板取付部３ｂに端子板２を例えば自動化によって取付ける際に、図３から図４に示すように、引出線５ａ，５ｂが端子１に自動的に包持されるようにし、接続作業を簡便にしている。
【００１５】
すなわち、引出線５ａ，５ｂは太線からなるため、線に腰があり、かつその材質に起因して折曲自在であり、所定の形状に容易にフォーミングすることができる。このフォーミングとしては、引出線５ａ，５ｂを所定の長さに切断し、絶縁被膜を除去し、所定の形状に折曲することで、その形状は、前述のように、端子板２を端子板取付部３ｂに取付けた際、端子１の下方に形成された包持部１ｄの中に引出線５ａ，５ｂが案内され接触するようにすることである。フォーミング作業は手作業でも良いし、ロボットを介して自動化により行っても良い。
【００１６】
なお、端子板２には絶縁カバー６が取付けられる。この絶縁カバー６の両側部には、一対のアーム６ａが突設され、かつアーム６ａの先端には内側に折曲された係合部６ｂが形成され、この部分が取付部２ｄの側部の根元の段部２ｄ′に係合して絶縁カバー６は端子板２に取付けられる。
【００１７】
なお、一対の取付部２ｄのうちそれぞれ内側部分のものには、突部２ｅがあり、この突部２ｅは絶縁カバー６の対応した位置に形成された窓６ｃに係合される。
【００１８】
図４は組立が完了した状態の外観斜視図である。
【００１９】
【発明の効果】
以上のように本発明によれば、別体の樹脂製の端子板２を、上方から単に取付板３の端子板取付部３ｂに挿通するだけで取付けることができ、自動化に適し、取付が容易となる。
【図面の簡単な説明】
【図１】本発明の一実施例の端子付きの端子板と端子板取付部との分解斜視図。
【図２】同上の端子と端子板取付部の部分断面側面図。
【図３】本発明のリアクター本体を有する取付板に端子付端子板を取付け、かつ絶縁カバーを取付ける状態を示した分解斜視図。
【図４】組立完成図。
【符号の説明】
１    端子
１ａ  リード線接続部
１ｂ  係止部
１ｃ  抜け止め部
１ｄ  包持部
２    端子板
２ａ  係合用窓
２ａ′  下縁
２ｂ  開口部
２ｃ  凹部
２ｄ  取付部
２ｄ′  段部
２ｅ  突部
３    取付板
３ａ  取付孔
３ｂ  端子板取付部
３ｃ  係合部
３ｄ  リブ
４    リアクター本体
５    コイル
５ａ，５ｂ  引出線
６    絶縁カバー
６ａ  アーム
６ｂ  係合部
６ｃ  窓
【図１】
0003654380.tif 000002
【図２】
0003654380.tif 000003
【図３】
0003654380.tif 000004
【図４】
0003654380.tif 000005